【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
筐体ユニットに形成された吸気口から外気を導入し、該筐体ユニットに収容された光学像を形成する光変調素子または該光変調素子と光照射手段との間に介在させた光学素子の少なくとも一方を、前記導入した外気によって冷却する投射型画像表示装置であって、
前記筐体ユニットの吸気口に、第一の防塵フィルタを備えると共に、
前記第一の防塵フィルタを通過した外気を前記光変調素子または前記光学素子へ導く、少なくとも二つに分岐された導風路を有し、該分岐された導風路の少なくとも一つに第二の防塵フィルタを備えることを特徴とする投射型画像表示装置。
【請求項２】
前記筐体ユニットに形成された吸気口から外気を導入するための空冷ファンを備えることを特徴とする請求項１に記載の投射型画像表示装置。
【請求項３】
前記第一の防塵フィルタは、前記筐体ユニットの外部から着脱交換可能に構成されていることを特徴とする請求項１または請求項２に記載の投射型画像表示装置。
【請求項４】
前記光変調素子または前記光学素子を保持する保持部材を備え、該保持部材に形成された前記外気の導入部に前記第二の防塵フィルタが取り付け可能に構成されていることを特徴とする請求項１〜３のいずれか１項に記載の投射型画像表示装置。
【請求項５】
前記光変調素子が液晶表示素子であり、前記光学素子が位相板であることを特徴とする請求項１〜４のいずれか１項に記載の投射型画像表示装置。
【請求項６】
前記光変調素子が複数の色光をそれぞれ変調する複数の光変調素子で構成され、また前記光学素子が前記複数の光変調素子と光照射手段との間に介在された構成を有し、
前記第一の防塵フィルタを通過した外気をこれらの光変調素子または光学素子へ導く導風路中に、前記第二の防塵フィルタを備えることを特徴とする請求項１〜５のいずれか１項に記載の投射型画像表示装置。
【手続補正２】
【補正対象書類名】明細書
【補正対象項目名】０００６
【補正方法】変更
【補正の内容】
【０００６】
本発明は、上記課題を達成するために、以下のように構成した投射型画像表示
装置を提供するものである。
本発明の投射型画像表示装置は、筐体ユニットに形成された吸気口から外気を導入し、該筐体ユニットに収容された光学像を形成する光変調素子または該光変調素子と光照射手段との間に介在させた光学素子の少なくとも一方を、前記導入した外気によって冷却する投射型画像表示装置であって、
前記筐体ユニットの吸気口に、第一の防塵フィルタを備えると共に、
前記第一の防塵フィルタを通過した外気を前記光変調素子または前記光学素子へ導く、少なくとも二つに分岐された導風路を有し、該分岐された導風路の少なくとも一つに第二の防塵フィルタを備えることを特徴としている。
また、本発明の投射型画像表示装置は、前記筐体ユニットに形成された吸気口から外気を導入するための空冷ファンを備えることを特徴としている。
また、本発明の投射型画像表示装置は、前記第一の防塵フィルタは、前記筐体ユニットの外部から着脱交換可能に構成されていることを特徴としている。
また、本発明の投射型画像表示装置は、前記光変調素子または前記光学素子を保持する保持部材を備え、該保持部材に形成された前記外気の導入部に前記第二の防塵フィルタが取り付け可能に構成されていることを特徴としている。
また、本発明の投射型画像表示装置は、前記光変調素子が液晶表示素子であり、前記光学素子が位相板であることを特徴としている。
また、本発明の投射型画像表示装置は、前記光変調素子が複数の色光をそれぞれ変調する複数の光変調素子で構成され、また前記光学素子が前記複数の光変調素子と光照射手段との間に介在された構成を有し、
前記第一の防塵フィルタを通過した外気をこれらの光変調素子または光学素子へ導く導風路中に、前記第二の防塵フィルタを備えることを特徴としている。
【手続補正３】
【補正対象書類名】明細書
【補正対象項目名】００１０
【補正方法】変更
【補正の内容】
【００１０】
本実施例においては、本発明における筐体ユニットに形成された吸気口から外気を導入し、該筐体ユニットに収容された光学像を形成する光変調素子または該光変調素子と光照射手段との間に介在させた光学素子の少なくとも一方を、前記導入した外気によって冷却する投射型画像表示装置の構成例について説明する。
図１に、本実施例の投射型画像表示装置の構成を説明する分解斜視図を示す。
図１において、１は第１の光源ランプ、２はランプ１を保持するランプホルダー、３は防爆ガラス、４はガラス押さえである。
αはランプ１からの光を入射する照明光学系、βは照明光学系からの出射光を入射するＲＧＢの３色用の液晶パネルを備えた色分解合成光学系である。
５は色分解合成光学系からの出射光を入射して図示せぬスクリーン（被投射面）に画像を投射する投射レンズ鏡筒であり、投射レンズ鏡筒５内には後述する投射レンズ光学系を収納している。
６は光学ボックスであり、この光学ボックス６には上記した第１の光源ランプ１、照明光学系α、色分解合成光学系β等が収納されると共に、投射レンズ５が固定される。
また、この光学ボックス６には、第１の光源ランプ１の周囲を囲むランプ周辺部材としてのランプケース部材が形成されている。
【手続補正４】
【補正対象書類名】明細書
【補正対象項目名】００１１
【補正方法】変更
【補正の内容】
【００１１】
７は光学ボックス蓋であり、光学ボックス蓋７によって上記光学ボックス６内に照明光学系α、色分解合成光学系β等を収納した状態で蓋をする。
８は電源、９は電源フィルタ、１０は電源８と合体し第１の光源ランプ１を点灯するためのバラスト電源である。
１１は電源８からの電力により液晶パネルの駆動、及びランプ１の点灯指令を送るための回路基板である。
１２Ａ、１２Ｂは後述する外装キャビネット２１の吸気口２１ａから空気を吸い込むことで色分解合成光学系β内の液晶パネル等の光学素子を冷却するための光学系用の冷却ファンＡ及び冷却ファンＢ（空冷ファン）である。
１３は光学冷却ファン１２による風を色分解合成光学系β内の液晶パネル等の光学素子に送るためのＲＧＢダクトＡである。
【手続補正５】
【補正対象書類名】明細書
【補正対象項目名】００１６
【補正方法】変更
【補正の内容】
【００１６】
５８は青（Ｂ）と赤（Ｒ）の波長領域の光を反射し、緑（Ｇ）の波長領域の光を透過するダイクロイックミラー。５９は透明基板に偏光素子を貼着したＧ用の入射側偏光板であり、Ｐ偏光光のみを透過する。６０はＰ偏光光を透過し、Ｓ偏光光を反射する第１の偏光ビームスプリッターであり、偏光分離面を有する。
６１Ｒ，６１Ｇ，６１Ｂはそれぞれ入射した光を反射するとともに画像変調する赤用の反射型液晶表示素子、緑用の反射型液晶表示素子、青用の反射型液晶表示素子である。６２Ｒ，６２Ｇ，６２Ｂはそれぞれ、赤用の１／４波長板、緑用の１／４波長板、青用の１／４波長板（位相板）である。６４ａはＲの色純度を高めるためにオレンジ光をランプに戻すトリミングフィルタで、６４ｂは透明基板に偏光素子を貼着したＲＢ用の入射側偏光板であり、Ｐ偏光のみを透過する。６５はＲの光の偏光方向を９０度変換し、Ｂの光の偏光方向は変換しない色選択性位相差板である。６６はＰ偏光を透過し、Ｓ偏光を反射する第２の偏光ビームスプリッターであり、偏光分離面を有する。
６８ＢはＢ用出射側偏光板（偏光素子）であり、ＢのＳ偏光のみを整流し、６８ＧはＳ偏光のみを透過させるＧ用出側偏光板、６９はＲＢ光を透過し、Ｇ光を反射するダイクロイックプリズムである。
【手続補正６】
【補正対象書類名】明細書
【補正対象項目名】００２９
【補正方法】変更
【補正の内容】
【００２９】
図３（ａ）において、７０は着脱交換可能に構成されている第一の防塵フィルタである。
この第一の防塵フィルタ７０は、外装キャビネット２１の吸気口２１ａの外側に配置され、不図示のＲＧＢ吸気プレートによって押さえられ取り付けられる。
第一の防塵フィルタ７０は、塵埃の付着などにより交換が必要である時は、前記ＲＧＢ吸気プレート３０を取り外すことにより、外装キャビネット２１の外部から取り外しや、交換が可能に構成されている。